(57)【要約】本発明は導管内の流体流に存在するＴａｙｌｏｒ−Ａｒｉｓ分散現象を使用して分子の相互作用を測定するための新規方法及びシステムに関する。本方法は分子の分散の変化をその相互作用のレベルと相関させる。本発明は更に種々の化学的及び生物学的システムで分子間相互作用を試験するためにマイクロ流体システムでＴａｙｌｏｒ−Ａｒｉｓ分散を使用するアッセイ方法に関する。【特許請求の範囲】
【請求項１】
（ａ）複数の分子を流体導管に流す段階と、
（ｂ）Ｔａｙｌｏｒ−Ａｒｉｓ分散である分子の少なくとも１種の分散を測定する段階と、
（ｃ）分散を複数の分子間の相互作用と相関させる段階を含む複数の分子間の相互作用の測定方法。
【請求項２】
分子を圧力駆動流下におく請求項１に記載の方法。
【請求項３】
少なくとも１種の分子の分散を他の分子の不在下における複数の分子の各々の分散と比較する請求項１に記載の方法。。
【請求項４】
流体導管中の分子の濃度を検出することにより分散を測定する請求項１に記載の方法。
【請求項５】
検出のために分子を標識しない請求項４に記載の方法。
【請求項６】
相互作用が会合的相互作用である請求項１に記載の方法。
【請求項７】
分子がリガンドと受容体を含む請求項６に記載の方法。
【請求項８】
相互作用が解離的相互作用である請求項１に記載の方法。
【請求項９】
複数の分子がアミノ酸、ポリアミノ酸、ヌクレオチド、ポリヌクレオチド、糖、多糖、抗体、受容体蛋白質、シグナル蛋白質、酵素、補因子、サイトカイン、ホルモン、ケモカイン、ポリマー及び薬剤から構成される群から選択される請求項１に記載の方法。
【請求項１０】
分子の２種の拡散率比が少なくとも約２である請求項１に記載の方法。
【請求項１１】
（ａ）複数の分子のうちの第１の分子をマイクロ流体導管に導入する段階と、
（ｂ）複数の分子のうちの第２の分子をマイクロ流体導管に導入する段階と、
（ｃ）圧力駆動流条件下にマイクロ流体導管内を流れる第１の分子と第２の分子の少なくとも一方の分散を測定する段階と、
（ｄ）分散を複数の分子間の相互作用と相関させる段階を含む複数の分子間の相互作用の測定方法。
【請求項１２】
第１の分子を連続流体流としてマイクロ流体導管に導入する請求項１１に記載の方法。
【請求項１３】
第２の分子を流体ボーラスとしてマイクロ流体導管に導入する請求項１１に記載の方法。
【請求項１４】
第１の分子と第２の分子を同時に導入する請求項１１に記載の方法。
【請求項１５】
第１の分子と第２の分子を予め混合し、流体ボーラスとして導入する請求項１４に記載の方法。
【請求項１６】
第１の分子と第２の分子が流体連通している請求項１１に記載の方法。
【請求項１７】
分子の濃度を検出することにより分散を測定する請求項１１に記載の方法。
【請求項１８】
検出が蛍光分光法、吸収分光法、熱レンズ分光法、又は紫外線分光法により実施される請求項１７に記載の方法。
【請求項１９】
検出が質量分析、電気化学的方法、磁気共鳴法、又は放射線法により実施される請求項１７に記載の方法。
【請求項２０】
第２の分子の不在下にマイクロ流体導管内を流れる第１の分子の分散と第１の分子の分散を比較する請求項１１に記載の方法。
【請求項２１】
第１の分子の不在下にマイクロ流体導管内を流れる第２の分子の分散と第２の分子の分散を比較する請求項１１に記載の方法。
【請求項２２】
複数の分子のうちの２種の拡散率比が少なくとも約２である請求項１１に記載の方法。
【請求項２３】
拡散率比が約８〜１０である請求項２２に記載の方法。
【請求項２４】
拡散率比が１０を上回る請求項２２に記載の方法。
【請求項２５】
相互作用が会合的相互作用である請求項１１に記載の方法。
【請求項２６】
相互作用が解離的相互作用である請求項１１に記載の方法。
【請求項２７】
複数の分子がアミノ酸、ポリアミノ酸、ヌクレオチド、ポリヌクレオチド、糖、多糖、抗体、受容体蛋白質、シグナル蛋白質、酵素、補因子、サイトカイン、ホルモン、ケモカイン、ポリマー及び薬剤から構成される群から選択される請求項１１に記載の方法。
【請求項２８】
分子が受容体とリガンドを含む請求項１１に記載の方法。
【請求項２９】
分子が酵素と基質を含む請求項１１に記載の方法。
【請求項３０】
１種以上の付加分子をマイクロ流体導管に導入する段階と、導管内を流れる１種以上の付加分子の分散を測定する段階を更に含む請求項１１に記載の方法。
【請求項３１】
分散を測定する段階が流れの軸に沿って長手方向の分散を測定することを含む請求項１１に記載の方法。
【請求項３２】
第１の分子と第２の分子が並流で流れない請求項１１に記載の方法。
【請求項３３】
相互に交差する第１のチャネルと第２のチャネルが内部に形成された本体構造をもつマイクロ流体デバイスと、
第１のチャネルと第２のチャネルにサンプルを導入する流体サンプル入口と、
第１のチャネルと流体連通しており、第１のチャネルの入口を介して第１のチャネルに移送される第１の流体を収容する第１の流体リザーバーと、
第２のチャネルと流体連通しており、第２のチャネルの入口を介して第２のチャネルに移送される第２の流体を収容する第２の流体リザーバーと、
流体サンプル入口と第１の流体入口の下流に配置された第１のチャネルの第１の検出ゾーンと、流体サンプル入口と第２の流体入口の下流に配置された第２のチャネルの第２の検出ゾーンと、
第１の検出ゾーンと第２の検出ゾーンを流れる流体中の少なくとも１種の分子の相対分散率を測定するための手段を備えるマイクロ流体システム。
【請求項３４】
サンプル入口がサンプル流体源に結合されている請求項３３に記載のシステム。
【請求項３５】
第１の検出ゾーンと第２の検出ゾーンが各々第１のチャネルと第２のチャネル内を流れる流体の少なくとも１種の分子の濃度を測定する検出器を備える請求項３３に記載のシステム。
【請求項３６】
蛍光分光法、吸収分光法、熱レンズ分光法、又は紫外線分光法により濃度を測定する請求項３５に記載のシステム。
【請求項３７】
質量分析、電気化学的方法、磁気共鳴法、又は放射線法により濃度を測定する請求項３５に記載のシステム。
【請求項３８】
第１のチャネルと第２のチャネルに流体の圧力駆動流を誘導するための手段を更に備える請求項３３に記載のシステム。
【請求項３９】
第１のリザーバーが蛋白質溶液を収容しており、第２のリザーバーが緩衝液を収容している請求項３８に記載のシステム。
【請求項４０】
サンプル分子を含む流体がサンプル入口を通って第１のチャネルと第２のチャネルに導入され、蛋白質溶液が第１のチャネルに導入され、緩衝液が第２のチャネルに導入され、サンプル分子を含む流体が第１のチャネルで蛋白質溶液と混合され、第２のチャネルで緩衝液と混合される請求項３９に記載のシステム。
【請求項４１】
第１のチャネルと第２のチャネルの検出ゾーンでサンプル分子の濃度を測定する請求項４０に記載のシステム。
【請求項４２】
サンプル分子と蛋白質の拡散率比が少なくとも約２である請求項４０に記載のシステム。
【請求項４３】
第１のチャネルと第２のチャネルにおけるサンプル分子の分散を測定及び比較し、サンプル分子と蛋白質の相互作用を測定する請求項４２に記載のシステム。
【請求項４４】
第１のチャネルと第２のチャネルが内部に形成された本体構造をもつマイクロ流体デバイスと、
少なくとも第１の分子を含む第１の流体を第１のチャネルに導入する手段と、
少なくとも第２の分子を含む第２の流体を第２のチャネルに導入する手段と、
１種以上の試験分子を含む流体を第１のチャネルと第２のチャネルの両者に導入する手段と、
第１の流体と、第２の流体と、１種以上の試験分子を含む流体の圧力駆動流を第１のチャネルと第２のチャネルに誘導する手段と、
第１のチャネルと第２のチャネルに配置されており、第１の分子、第２の分子、又は試験分子の少なくとも１種の分散を測定する手段と、
試験分子、第１の分子、及び第２の分子のうちの２種以上の相互作用と分散を相関させる手段を備えるマイクロ流体システム。
【請求項４５】
測定手段が第１のチャネルと第２のチャネルで第１の分子、第２の分子、又は試験分子の１種以上の濃度を検出する請求項４４に記載のシステム。
【請求項４６】
試験分子と第１又は第２の分子の少なくとも１種の拡散率比が少なくとも約２である請
求項４４に記載のシステム。
【請求項４７】
第１の流体が蛋白質分子を含む溶液であり、第２の流体が第１の分子又は前記１種以上の試験分子と相互作用しない分子を含む溶液であり、前記１種以上の試験分子が蛋白質分子との相互作用を試験される分子である請求項４４に記載のシステム。
【請求項４８】
第１の流体が蛋白質分子を含む溶液であり、第２の流体が蛋白質分子と相互作用することが分かっているリガンドを含む溶液であり、前記１種以上の試験分子がリガンドの存在下で蛋白質分子との相互作用を試験される分子である請求項４４に記載のシステム。
【請求項４９】
流体導管の少なくとも一部がシーブマトリックスを含む請求項１に記載の方法。
【請求項５０】
シーブマトリックスがゲルを含む請求項４９に記載の方法。
【発明の詳細な説明】
【関連出願とのクロスリファレンス】
【０００１】
本願は米国仮特許出願第６０／４０２，５０８号（出願日２００２年８月１２日）の優先権を主張し、その開示内容全体を参考資料として全目的で本明細書に組込む。
【０００２】
（連邦政府支援研究開発から創出された発明の権利に関する陳述）
適用外。
【技術分野】
【０００３】
本願は流体システム内を流れる分子の物性（例えばＴａｙｌｏｒ−Ａｒｉｓ分散率）の変化を使用して分子間相互作用又は会合をモニターするための新規方法及びシステムを開示する。本発明は一般には流体導管、好ましくはマイクロ流体チャネルネットワークで分子間の会合レベルの変化を観測する方法に関する。
【背景技術】
【０００４】
最近、種々の化学的及び生物学的プロセスを試験することができるマイクロスケールアッセイ方法の開発が進められている。制御可能に流通及び／又は移送される微量の流体、又は他の材料を使用し、化学的及び生物学的反応条件、酵素プロセス等を制御するために再現性が高く、迅速に変化可能な微小環境を生成するマイクロ流体チップは特に注目されている。
【０００５】
分析物溶液中の分子間の相互作用の存在を検出することが可能なマイクロ流体を使用して数種の方法が開発されている。溶液中の分析物の非反応性相互作用（例えば結合）を測定する主要方法は不均質フォーマットでラベル又はタグを使用することにより実施されている。要約すると、標識した分析物を予想結合パートナーと接触させる。次に、結合したラベルを分離段階（例えばクロマトグラフィー、電気泳動、又はどちらかの成分を固体支持体に固相化）とその後の洗浄段階で遊離（例えば未結合）ラベルから分離する。これらの不均質フォーマットの欠点は時間と手間のかかる付加段階を必要とすることである。
【０００６】
場合によっては、分子間相互作用が生じた場合に変化するシグナルを発生するラベルが利用可能である。しかし、多数の該当分析物（蛋白質、ポリヌクレオチド、多糖及び特に小分子等の高分子）は（１）該当反応を生じた場合のみにシグナルを発生する容易に入手可能なラベルがないか、又は（２）分析物の標識が分子間相互作用を妨げるという事実により、相互作用又は反応プロセスの測定は困難になっている。
【０００７】
更に、多くの反応では、相互作用対の一方の分子を標識しても、複合体の形成により複合体と標識分子単独の間に検出可能な差異が生じないことは明白である。従って、生物学研究分野に極めて有用な多くの反応の分子は慣用手段により容易に検出できるように修飾することができない。これらの問題を解決するために、研究者らは分析物が会合すると光学的性質が変化する数種の方法を開発している。
【０００８】
例えば、Ｐｉｒｒｕｎｇら（米国特許第５，１４３，８５４号）は結合対の一方の分子の固相化を利用する技術を記載している。次に、標識分子を固相化した分子と接触させ、固相化支持体を洗浄する。次に、標識成分と未標識固相化成分の結合の指標である標識分子の存在について支持体を試験する。アッセイフォーマットのスループットを高めるためには、膨大な結合メンバー対を作製することが多い。
【０００９】
あるいは、核酸ハイブリダイゼーションアッセイの場合には、結合又は未結合状態で蛍
光シグナルを発生するために結合エレメントの近接を利用する相補的標識システムが研究者らにより開発されている。例えばＦＲＥＴ色素の記載についてはＭａｔｈｉｅｓらの米国特許第５，６６８，６４８号；５，７０７，８０４号；５，７２８，５２８号；５，８５３，９９２号及び５，８６９，２５５号、分子ビーコンの記載についてはＴｙａｇｉら，Ｎａｔｕｒｅ  Ｂｉｏｔｅｃｈ．１４：３０３−８（１９９６）及びＴｙａｇｉら，Ｎａｔｕｒｅ  Ｂｉｏｔｅｃｈ．１６：４９−５３（１９９８）参照。
【００１０】
更に、Ｙａｍａｕｃｈｉら（米国特許第５，７２３，３４５号）は液体サンプル中の物質がチャネルを流れてシグナル物質と相互作用し、複数の検出器により検出されるシグナルを発生する特異的結合アッセイ方法を開示している。
【００１１】
Ｍａｒａｃａｓ，Ｇ．Ｎ．（米国特許第６，０４８，６９１号）はチップ型分子検出デバイスと結合アッセイを実施するための方法及びシステムを開示している。
【００１２】
結合を検出する別法は蛍光偏光を使用する均質法である。蛍光偏光検出では、大きい分子と小さい標識分子の結合の結果、標識種の回転拡散速度が変化し、従って、偏光活性化エネルギーに応答して偏光蛍光を発生できなくなる。例えばＮｉｋｉｆｏｒｏｖの米国特許第６，２８７，７７４号参照。
【００１３】
以上の記載から明らかなように、殆どの慣用技術は検出物質もしくは材料の介在、又は基質が物質と結合して検出可能なシグナルを発生できることが必要である。これらの方法にはいくつかの欠点があり、例えば、対象分子の光学的性質の欠如、検出物質又はラベルが実験対象である結合又は分子会合を妨害する可能性、及び結合イベントを指示するのに適したラベルの欠如が挙げられる。従来技術の方法の共通の欠点は、標識又は基質結合分子がその遊離パートナーと同一の結合特性を示さない可能性があるという点である。分子を標識するか又は固定検出基質に結合することにより、分子形態、結合部位利用可能性又は接近可能性が変化し、その結果、他の分子とのその結合特性の測定が不正確になる恐れがある。
【特許文献１】米国特許第５，１４３，８５４号
【特許文献２】米国特許第５，６６８，６４８号
【特許文献３】米国特許第５，７０７，８０４号
【特許文献４】米国特許第５，７２８，５２８号
【特許文献５】米国特許第５，８５３，９９２号
【特許文献６】米国特許第５，８６９，２５５号
【特許文献７】米国特許第５，７２３，３４５号
【特許文献８】米国特許第６，０４８，６９１号
【特許文献９】米国特許第６，２８７，７７４号
【非特許文献１】Ｔｙａｇｉら，Ｎａｔｕｒｅ  Ｂｉｏｔｅｃｈ．１４：３０３−８（１９９６）
【非特許文献２】Ｔｙａｇｉら，Ｎａｔｕｒｅ  Ｂｉｏｔｅｃｈ．１６：４９−５３（１９９８）
【発明の開示】
【発明が解決しようとする課題】
【００１４】
従って、（１）分子会合が発生すると識別可能なシグナルを発生するラベルに依存しないか、又は（２）結合ラベルから分離するために分子会合後に分離段階を必要としないアッセイ検出方法が必要である。
【課題を解決するための手段】
【００１５】
本発明はこれらの必要を満たすためにＴａｙｌｏｒ−Ａｒｉｓ分散現象を利用する。Ｔ
ａｙｌｏｒ−Ａｒｉｓ現象は従来認識されている（例えばＴａｙｌｏｒ，Ｓｉｒ  Ｇｅｏｆｆｒｅｙ，Ｆ．Ｒ．Ｓ．，Ｄｉｓｐｅｒｓｉｏｎ  ｏｆ  ｓｏｌｕｂｌｅ  ｍａｔｔｅｒ  ｉｎ  ｓｏｌｖｅｎｔ  ｆｌｏｗｉｎｇ  ｓｌｏｗｌｙ  ｔｈｒｏｕｇｈ  ａ  ｔｕｂｅ，Ｐｒｏｃ．Ｒｏｙ．Ｓｏｃ．（Ｌｏｎｄｏｎ）２１９Ａ：１８６−２０３（１９５３）；Ｔａｙｌｏｒ，Ｓｉｒ  Ｇｅｏｆｆｒｅｙ，Ｆ．Ｒ．Ｓ．，Ｃｏｎｄｉｔｉｏｎｓ
ｕｎｄｅｒ  ｗｈｉｃｈ  ｄｉｓｐｅｒｓｉｏｎ  ｏｆ  ａ  ｓｏｌｕｔｅ  ｉｎ  ａ
ｓｔｒｅａｍ  ｏｆ  ｓｏｌｖｅｎｔ  ｃａｎ  ｂｅ  ｕｓｅｄ  ｔｏ  ｍｅａｓｕｒｅ  ｍｏｌｅｃｕｌａｒ  ｄｉｆｆｕｓｉｏｎ，Ｐｒｏｃ．Ｒｏｙ．Ｓｏｃ．（Ｌｏｎｄｏｎ）Ａ２２５：４７３−４７７（１９５４）；Ａｒｉｓ，Ｒ．，Ｏｎ  ｔｈｅ  ｄｉｓｐｅｒｓｉｏｎ  ｏｆ  ａ  ｓｏｌｕｔｅ  ｉｎ  ａ  ｆｌｕｉｄ  ｆｌｏｗｉｎｇ  ｔｈｒｏｕｇｈ  ａ  ｔｕｂｅ，Ｐｒｏｃ．Ｒｏｙ．Ｓｏｃ．（Ｌｏｎｄｏｎ）Ａ２３５：６７−７７（１９５６））が、このプロセスを利用して複数の分子間の相互作用を測定する方法及び装置は従来記載されていない。
【００１６】
１態様では、本発明は複数の分子間の相互作用の測定方法を提供する。本方法は複数の分子を圧力駆動流下に流体導管に流す段階と；Ｔａｙｌｏｒ−Ａｒｉｓ分散である分子の少なくとも１種の分散を測定する段階と；分散を複数の分子間の相互作用と相関させる段階を含む。
【００１７】
別の態様では、本発明は複数の分子間の相互作用の測定方法を提供する。本方法は複数の分子のうちの第１の分子をマイクロ流体導管に導入する段階と；複数の分子のうちの第２の分子をマイクロ流体導管に導入する段階と；圧力駆動流条件下にマイクロ流体導管内を流れる第１の分子と第２の分子の少なくとも一方の分散を測定する段階と；分散を複数の分子間の相互作用と相関させる段階を含む。
【００１８】
別の態様では、本発明はマイクロ流体システムを提供する。本システムは相互に交差する第１のチャネルと第２のチャネルが内部に形成された本体構造をもつマイクロ流体デバイスと；第１のチャネルと第２のチャネルにサンプルを導入する流体サンプル入口と；第１のチャネルと流体連通しており、第１のチャネルの入口を介して第１のチャネルに移送される第１の流体を収容する第１の流体リザーバーと；第２のチャネルと流体連通しており、第２のチャネルの入口を介して第２のチャネルに移送される第２の流体を収容する第２の流体リザーバーと；流体サンプル入口と第１の流体入口の下流に配置された第１のチャネルの第１の検出ゾーンと、流体サンプル入口と第２の流体入口の下流に配置された第２のチャネルの第２の検出ゾーンと；第１の検出ゾーンと第２の検出ゾーンを流れる流体中の少なくとも１種の分子の相対分散率を測定するための手段を備える。
【００１９】
本発明の別の態様はマイクロ流体システムを提供する。本システムは第１のチャネルと第２のチャネルが内部に形成された本体構造をもつマイクロ流体デバイスと；少なくとも第１の分子を含む第１の流体を第１のチャネルに導入する手段と；少なくとも第２の分子を含む第２の流体を第２のチャネルに導入する手段と；１種以上の試験分子を含む流体を第１のチャネルと第２のチャネルの両者に導入する手段と；第１の流体と、第２の流体と、１種以上の試験分子を含む流体の圧力駆動流を第１のチャネルと第２のチャネルに誘導する手段と；第１のチャネルと第２のチャネルに配置されており、第１の分子、第２の分子、又は試験分子の少なくとも１種の分散を測定する手段と；試験分子、第１の分子、及び第２の分子のうちの２種以上の相互作用と分散を相関させる手段を備える。
【００２０】
本発明は分子の拡散率の差と、分散に及ぼすＴａｙｌｏｒ−Ａｒｉｓ現象の緩和効果を分子アッセイで使用する。本発明は、拡散率比が比較的小さい分子間の相互作用を測定できるという点が特に有利である。
【００２１】
更に、本発明は会合的又は解離的分子間相互作用が発生すると識別可能なシグナルを発生するラベル、又は標識種の分子会合後の分離段階を必要としないアッセイ検出方法を提供する。
【００２２】
本発明は会合的及び解離的相互作用等の各種分子間相互作用を測定するために使用することができる。本明細書に開示する方法、デバイス、及びシステムは医薬ライブラリー用汎用蛋白質結合アッセイ等の蛋白質結合の測定に特に有用である。
【００２３】
以下、添付図面を参照して本発明のその他の特徴と利点を詳細に記載する。
【００２４】
図面の簡単な説明
図１は大分子と小分子のチャネル軸方向位置に対する予想濃度プロフィルを示す。
【００２５】
図２は本発明を実施するための流体導管システムの模式図を示す。
【００２６】
図３Ａはピペッターエレメント、サイドチャネル、及びメインチャネルを備えるシングルチャネルアッセイ用マイクロ流体デバイスの模式図を示す。
【００２７】
図３Ｂはピペッターエレメント、サイドチャネル、及びメインチャネルを備える自己参照シングルチャネルアッセイ用代替マイクロ流体デバイスの模式図を示す。
【００２８】
図４は自己参照デュアルチャネルアッセイ用マイクロ流体デバイスの模式図を示す。
【００２９】
図５は競合的結合実験で使用するシングルチャネルアッセイ用マイクロ流体デバイスの模式図を示す。
【００３０】
図６は実施例１に従って使用したシングルチャネルアッセイ用マイクロ流体デバイスの模式図を示す。
【００３１】
図７は実施例１に従い、標識ビオチンからの参照蛍光レベルを示す。
【００３２】
図８は実施例１に従い、標識ビオチンの反復注入から得られた蛍光シグナルを示す。
【００３３】
図９は実施例１に従い、標識ビオチンと緩衝液及びストレプトアビジンの注入による結合アッセイ実験の標準化実験蛍光シグナル結果を示す。挿入図は１回の注入の結果を示す。
【００３４】
図１０は実施例１に従い、ビオチン及びストレプトアビジンとの結合アッセイの分散モデル結果を示す。
【００３５】
図１１は実施例２に従って使用するためのマイクロ流体デバイスの模式図を示す。
【００３６】
図１２は実施例２に従い、蛋白質、リガンド、及びサンプル分子の予想分布図を示す。
【００３７】
図１３は実施例２に従い、軸方向位置の関数として小分子と大分子の濃度を示す。
【００３８】
図１４は実施例２に従い、軸方向位置の関数として小分子と大分子の濃度を示す別の図である。
【００３９】
図１５は実施例２に従い、軸方向位置の関数として小分子と大分子の濃度を示す別の図
である。
【発明を実施するための最良の形態】
【００４０】
本発明はＴａｙｌｏｒ−Ａｒｉｓ分散現象を使用して複数の分子間の相互作用を測定するための新規方法、デバイス、及びシステムを提供する。本発明の態様はマイクロ流体導管内を流れる複数の分子間の会合的及び解離的相互作用等の相互作用を測定するためにＴａｙｌｏｒ−Ａｒｉｓ分散現象を使用する方法、デバイス、及びシステムを提供する。
【００４１】
本発明は分子間相互作用を検出、観測、測定及び分析するためにＴａｙｌｏｒ−Ａｒｉｓ分散現象を使用する。本発明は検出にタグ付き又は標識分子を必要としないので、このようなタグが分子間相互作用を妨げる場合や、このような標識を実施できない場合に有用である。しかし、本発明の所定態様では、ラベル又はタグを使用することができる。
【００４２】
１態様では、本発明はマイクロ流体デザインによる小型化の結果、サンプル試験サイズを小さくし、分析物の使用を節約できるという利点がある。また、本発明は迅速なサンプリングにより、実験結果の高スループットで即座の反復が可能になるという利点もある。
【００４３】
本明細書において「分散」とは層状圧力駆動流における流線内の速度変動の結果として流体媒体内に対流により誘導される材料の長手方向分散（サンプル広がり）として定義される。本発明の目的では、分散とは一般に流れと分子拡散の結合、即ちＴａｙｌｏｒ−  Ａｒｉｓ分散に起因するものとして定義される。このレジームでは、対流輸送による分散のタイムスケールは流れの方向に垂直な方向における分子拡散のタイムスケールと同等以上である。この現象の詳細な説明はＴａｙｌｏｒとＡｒｉｓの上記論文に記載されている。
【００４４】
Ｔａｙｌｏｒ−Ａｒｉｓレジームでは、分散は導管の軸方向の圧力駆動流を横断する分子の迅速な拡散により特徴付けられる。従って、分子は流れの場の低速と高速の両方の領域に「入る」ことができる。従って、圧力駆動流下にあるときに、概してサンプルはＴａｙｌｏｒ−Ａｒｉｓレジーム外のサンプルに比較してゆっくりと分散する。即ち、Ｔａｙｌｏｒ−Ａｒｉｓ現象は圧力駆動流下の流体の分子の分散を緩和する。Ｔａｙｌｏｒ−Ａｒｉｓ分散に関する記載については、その開示内容全体を参考資料として本明細書に組込む米国特許第６，１５０，１１９号とその引用文献も参照されたい。
【００４５】
本発明は分子間の相互作用の測定に分子の拡散率の差を利用する。特に、本発明者らは分子間の相互作用のレベルを測定するためにＴａｙｌｏｒ−Ａｒｉｓレジーム下の導管内の流体流における大分子と小分子の拡散率の差を利用する方法を発見した。
【００４６】
本発明の方法、システム、及びデバイスは拡散率比（拡散率が高いほうの分子の拡散率／拡散率が低いほうの分子の拡散率）が少なくとも約２である分子間の相互作用を測定するために適用可能である。具体的に、拡散率の比は２〜３、又はそれ以上、例えば，約８〜約１０とすることができる。他の態様では、拡散率の比は約２〜約１０、又は約１０以上でもよい。本発明は拡散率比が小さい小分子と大分子の相互作用を測定できるという点が特に有利である。
【００４７】
当業者に自明の通り、分子の拡散率は主にそのサイズにより異なる。一般に、小さい分子のほうが大きい分子よりも拡散率が高い。便宜上、本明細書では拡散率が高い分子と低い分子のことを「小」分子及び「大」分子と言う。しかし、当然のことながら、分子の拡散率は他の因子によっても異なり、限定されないが分子の形状等が挙げられる。
【００４８】
本発明の方法、システム、及びデバイスは小分子と大分子の相互作用を測定するのに特
に有用である。小分子の分子量は約５０００Ｄａ以下、例えば約３００Ｄａ〜約１０００Ｄａとすることができる、大分子の分子量は約１５０００Ｄａを上回ることができ、これよりも有意に高分子量でもよい。当然のことながら、Ｔａｙｌｏｒ−Ａｒｉｓ現象を補助する流れ条件下に分子を導管内で使用することができ且つ拡散率比が少なくとも約２である限り、本発明で使用する分子のサイズを限定するものではない。例えば、試験分子が気相にある場合には、小及び／又は大分子の分子量は上記値よりも低くすることができる。
【００４９】
本発明はＴａｙｌｏｒ−Ａｒｉｓ現象を利用することができる任意流体導管、即ち導管内の分子拡散が導管内の分子流通速度と同等以上である任意流体導管で使用することができる。導管は例えばマイクロ流体デバイスの被覆チャネル又はキャピラリーとすることができる。当業者に自明の通り、一定速度では導管が小さいほどＴａｙｌｏｒ−Ａｒｉｓ現象が圧力駆動流による分散を緩和する程度は大きくなる。例えば、分析しようとする分子の拡散率に基づいて使用する導管の最適寸法を決定することができる。例えば、その開示内容全体を参考資料として本明細書に組込む米国特許出願第１０／２０６，７８７号（出願日２００２年７月２６日）参照。
【００５０】
液体媒体中の分子間の相互作用を分析する場合には、適切な導管はマイクロチャネル又は更に横断面の小さい導管とすることができる。しかし、当然のことながら、Ｔａｙｌｏｒ−Ａｒｉｓ現象が存在するならば、導管はマイクロチャネルよりも大型でもよい。Ｔａｙｌｏｒ−Ａｒｉｓ現象は例えば気相中の分子のアッセイで存在する可能性もある。また、本発明で使用することができる導管の形状も特に限定されず、例えば円筒形、楕円形、及び長方形導管が挙げられる。
【００５１】
本発明の方法の態様で使用することができる分子の種類は限定されないが、アミノ酸、ポリアミノ酸、ヌクレオチド、ポリヌクレオチド、糖、多糖、抗体、受容体蛋白質、シグナル蛋白質、酵素、補因子、サイトカイン、ホルモン、ケモカイン、ポリマー及び薬剤が挙げられる。以上は例示に過ぎず、多様な分子の任意のものを本発明で使用できることに留意すべきである。本明細書で使用する分析物なる用語は溶液中に存在する場合のこれらの分子を意味する。
【００５２】
本発明の１態様では、流体導管内を流れる複数の分子（例えば大分子と小分子）のうちの少なくとも１種の分散を測定する。分散は当業者に公知の種々の方法により測定することができる。１態様では、流体導管内を流れる分子の１種以上の濃度を検出することにより分散を測定する。
【００５３】
流体導管内部に存在するか又は外部に排出される分子の存在又は濃度を検出するためには当業者に公知の任意手段を使用することができる。これらの手段としては、吸収又は蛍光分光法、熱レンズ分光法（例えばＫｉｔａｍｏｒｉら，Ｊｐｎ．Ｊ．Ａｐｐｌ．Ｐｈｙｓ．３９，５３１６−５３２２，（２０００）参照）及び紫外線分光法等の光学的方法と、電位差及び電流検出等の電気化学的方法と、限定されないが、質量分析、磁気共鳴法（例えば核磁気共鳴又は電子常磁性共鳴）、及び放射線測定等の当業者に公知の他の物理的方法及び化学的方法が挙げられる。好適手段は蛍光又は吸収分光法である。
【００５４】
本発明は流体導管内を流れる大分子が小分子ほど迅速に側方拡散しないという認識を利用するものである。その結果、大分子を圧力駆動流下に導管に導入すると、導管の横断面方向の流速範囲による大分子の分散は側方拡散により低下しない。この結果、大分子は小分子に比較して導管内を流れる間に分散し易くなる。
【００５５】
図１は導管に導入した大分子と小分子の２個の同一パルス（即ち同一濃度及び持続時間のパルス）に及ぼすＴａｙｌｏｒ−Ａｒｉｓ現象の効果を示す。大分子のほうが分散性が
高いため、パルスが導管内を流れるにつれて、（導管内の軸方向位置の関数として測定した）大分子パルスの濃度プロフィルは小分子の濃度プロフィルに比較して広くなる。図１は大小分子パルスの導入後の任意時間における圧力駆動流下の流体導管内の軸方向位置（ｘ）の関数として拡散率３０μｍ２／ｓの大分子の濃度プロフィル（Ｃ１）と拡散率３００μｍ２／ｓの小分子の濃度プロフィル（Ｃ２）を示す。図１に示すように、パルスが導管内を流れるにつれてパルス濃度プロフィルのピーク幅と振幅に差が生じる。図から明らかなように、小分子のほうが流体導管内を迅速に拡散（即ち流れの方向を横切る方向に拡散）するので速度プロフィルの種々の領域をサンプリングし、分散量が減るため、小分子パルスのプロフィル（Ｃ２）は大分子のプロフィル（Ｃ１）に比較してピーク濃度が鋭く高い。
【００５６】
流体導管内を流れる分子の分散を更に複数の分子間の相互作用と相関させる。例えば、分子の少なくとも１種の分散が他の分子の不在下に得られる分散から変化している場合に分子間の相互作用が生じる。
【００５７】
本発明の方法から測定することができる相互作用の種類は特に限定されない。具体的に、本発明により測定することができる相互作用としては会合的相互作用と解離的相互作用が挙げられる。会合的相互作用としては限定されないが、抗体／抗原、相補的核酸、核酸会合蛋白質とその核酸リガンド等の受容体／リガンド相互作用；核酸ハイブリダイゼーション反応、非特異的及び特異的結合、部位特異的結合、触媒蛋白質認識、受容体−基質認識、又は酵素／基質、及び分子間の他の共有（例えば立体又は静電相互作用）、非共有、又はイオン相互作用が挙げられる。解離的相互作用としては限定されないが、会合的反応の逆と、溶解又は開裂反応（例えば比較的小さい標識種が大きい標識基質から開裂される反応）が挙げられる。
【００５８】
本発明の実施に特に有用な相互作用としては生化学的分子間の相互作用（例えば受容体−リガンド相互作用、酵素−基質相互作用、細胞シグナル伝達経路、バイオアベイラビリティスクリーニング用モデルバリヤーシステム（例えば細胞又は膜フラクション）を利用する輸送反応、及び種々の他の一般システムが挙げられる。
【００５９】
例えば、望ましくない効果をもつ生化学システムに関連する主要イベントの阻止、減速又は他の方法の抑制における効果について化合物をスクリーニングすることができる。例えば、疾病発症又は疾病（例えば遺伝病、癌、細菌又はウイルス感染）の特定症状の発症に少なくとも部分的に関与するシステムを阻止する能力について試験化合物をスクリーニングすることができる。その後、これらのスクリーニングアッセイ方法で有望な結果を示す化合物を更に試験し、疾病又は疾病の症状の治療に有効な薬剤を同定することができる。
【００６０】
具体的に、本発明は生化学システムの２成分間の相互作用（例えば受容体−リガンド相互作用又は酵素−基質相互作用）に及ぼす試験化合物の効果をスクリーニングするために使用することができる。この形態では、生化学システムモデルは一般にそのエフェクターが求められているシステムの２種の正常に相互作用する成分（例えば受容体とそのリガンド又は酵素とその基質）を含む。
【００６１】
次に、システムを試験化合物と接触させ、システムの機能（例えば受容体−リガンド結合又は基質ターンオーバー）をアッセイすることにより、試験化合物がこの相互作用に及ぼす効果を測定する。次に、アッセイした機能を対照（例えば試験化合物の不在下又は既知エフェクターの存在下の同一反応）と比較する。
【００６２】
本発明の方法は、システムの結果又は終産物が分かっており、所定レベル（例えば酵素
経路又は細胞シグナル伝達経路）でアッセイ可能である場合には著しく複雑なシステムのエフェクターをスクリーニングするためにも使用することができる。あるいは、本明細書に記載する方法及び装置はシステムの単一成分と相互作用する化合物（例えば受容体、リガンド、酵素、核酸又は構造高分子等の生化学的化合物等の特定化合物と特異的に相互作用する化合物）をスクリーニングするために使用することもできる。本発明でアッセイすることができる生化学的相互作用の詳細な記載についてはその開示内容全体を参考資料として本明細書に組込む米国特許第５，９４２，４４３号を参照されたい。
【００６３】
上述のように、複数の分子の相互作用は一般に検出可能なシグナルを伴う。例えば、第１の分子が受容体であり、第２の分子がリガンドである場合には、リガンド又は受容体のどちらかに検出可能なシグナルを付けることができる。本発明の態様では標識エレメントを使用してもよいが、本発明は標識エレメントの使用を必要としない点に注目すべきである。従って、本発明はこのようなラベルもしくはタグが結合を妨げる場合又はこのような標識を実施できない場合に特に有用である。
【００６４】
本発明の１態様による装置を図２に模式的に示す。Ｔａｙｌｏｒ−Ａｒｉｓレジームで操作し、圧力駆動流条件下にサイドチャネル１０４を通して大分子を含む溶液をリザーバー１０２から導管１００に導入することができる。次に、小分子を含む分画量の溶液を導管の点１０６に導入することができる。各種態様では、小分子を含む溶液をリザーバー（図示せず）又は外部ソースからピペッター（図示せず）により導入することができる。検出器（図示せず）により検出領域１０８をサンプリングし、点１１０における小分子及び／又は大分子の濃度を検出する。
【００６５】
上述のように、Ｔａｙｌｏｒ−Ａｒｉｓレジーム下で流れる小分子は導管の全長を流れる間に大分子よりも分散しにくい。小分子は導管内を迅速に拡散するので圧力駆動流による分散が緩和されるため、大分子と小分子か相互作用しない場合には、小分子の濃度は検出時に比較的鋭いピークをもつと予想される。他方、小分子と大分子が相互作用する場合には小分子の濃度プロフィルが変化する。例えば、小分子が大分子と結合したとするならば、その結果、小分子よりも大きい小分子／大分子複合体となる。従って、複合体は小分子よりも迅速に分散する。従って、結合した小分子の濃度プロフィルは未結合小分子の濃度プロフィルよりも小さく、広くなる。大分子と混合後に検出領域１０８における小分子の濃度プロフィルを分析することにより、小分子と大分子が相互作用したか否かを判定することができる。
【００６６】
本発明は複数の分子間の相互作用の更に別の測定方法を提供する。本発明の方法では、複数の分子のうちの第１の分子をマイクロ流体導管に導入する。複数の分子のうちの第２の分子をマイクロ流体導管に導入する。圧力駆動流条件下にマイクロ流体導管内を流れる分子の少なくとも一方の分散を測定する。次に、分散を分子間の相互作用と相関させる。
【００６７】
本発明のマイクロ流体アッセイ方法は分子間相互作用を検出、観測、測定及び分析するためにＴａｙｌｏｒ−Ａｒｉｓ分散現象を利用し、従来記載されている結合アッセイ方法にまさる実質的利点を提供する。本発明の方法はマイクロ流体デザインによる小型化の結果、サンプル試験サイズを小さくし、分析物の使用を節約できるという利点がある。また、本発明の方法は迅速なサンプリングにより、実験結果の高スループットで即座の反復が可能になるという利点もある。
【００６８】
上述のように、マイクロ流体アッセイ方法は拡散率比が少なくとも約２の分子間の相互作用を測定するために使用することができる。所定態様では、拡散率比はもっと大きくてもよく、例えば約２〜約３、又はそれ以上、例えば約２〜１０、又は約８〜約１０、あるいは１０以上でもよい。
【００６９】
多くの場合には、ゲル又は他のシーブマトリックスの存在下にアッセイを実施すると、２種の異なるサイズの分子の拡散率比を増加することができる。一般に、シーブマトリックスを通る分子はマトリックス内の細孔により規定される蛇行路を辿らなければならない。シーブマトリックスの細孔寸法が特定分子よりも大きい場合には、その分子の拡散率はマトリックスの存在によりさほど影響されない。他方、分子がマトリックスを通過できないほど大きい場合には、分子の拡散率は一桁も大きくなる。従って、本発明の態様では適当なシーブ媒体を使用することにより、大分子と小分子の拡散率比を増すことができる。ＤＮＡ、ＲＮＡ、及び蛋白質分子の拡散率を低下させるシーブマトリックスはゲル形態で市販されている。従って、例えば、溶液中で拡散率比が２〜３の特定蛋白質−リガンド結合対は蛋白質の拡散率を低下させるが、リガンドの拡散率に有意に影響しない蛋白質ゲル中では２０〜３０の拡散率比となる。蛋白質ゲル等のシーブマトリックスは図２の態様で導管１００の全部又は一部に充填することができる。
【００７０】
本明細書で使用する「マイクロスケール」又は「マイクロ流体」なる用語は一般に少なくとも１個の加工寸法が約０．１μｍ〜約５００μｍであるデバイスの構造エレメント又は部品を意味する。チャネル、通路、チャンバー、又は導管等の流体エレメントを表すために使用する場合には、「マイクロスケール」又は「マイクロ流体」なる用語は一般に少なくとも１個の内部横断面寸法（例えば深さ、幅、長さ、又は直径）が５００μｍ未満、一般には約０．１μｍ〜約５００μｍである１個以上の流体チャネル、通路、チャンバー、又は導管を意味する。本発明の１態様では、マイクロスケールチャネル、通路、チャンバー、又は導管は少なくとも１個の横断面寸法が約０．１μｍ〜２００μｍであることが好ましい。本発明により使用されるマイクロ流体デバイス又はシステムは一般に単一本体構造に配置された少なくとも１本のマイクロスケールチャネル、通常は少なくとも２本の交差するマイクロスケールチャネル、多くの場合には３本以上の交差するチャネルを含む。チャネル交点は多数のフォーマットで存在することができ、例えば十字形交点、「Ｔ」字形交点、又は２本以上のチャネルを流体連通させる任意数の他の構造が挙げられる。
【００７１】
多くの態様では、マイクロ流体デバイスはデバイスの１本以上のチャネルを横切って配置された光学検出窓を含む。光学検出窓は窓が配置されているチャネルから光シグナルを送ることができるように一般に透明とする。例えば、光学検出窓は透明カバー層の１領域とすることができ、カバー層はガラスもしくは石英又は透明ポリマー材料（例えばＰＭＭＡ又はポリカーボネート）とする。あるいは、デバイスの製造に不透明基板を使用する場合には、上記材料から製造した透明検出窓を別にマイクロ流体デバイスにはめ込んでもよい。適切な光学的検出方法としては限定されないが、吸収又は蛍光分光法、熱レンズ分光法及び紫外線分光法が挙げられる。
【００７２】
他方、他の態様では、検出システムは検出領域又はゾーン内に配置された特定特性を検出するための非光学検出器又はセンサーを備えることができる。適切な非光学的検出方法としては限定されないが、電位差及び電流検出等の電気化学的方法と、質量分析、磁気共鳴法（例えば核磁気共鳴又は電子常磁性共鳴）、及び放射線測定等の当業者に公知の他の物理的方法及び化学的方法が挙げられる。
【００７３】
本発明のこれらのマイクロ流体デバイスとアッセイ方法は会合的及び／又は解離的分子間相互作用の測定を利用する種々の用途で使用することができ、例えば薬剤発見における高スループットスクリーニングアッセイ、イムノアッセイ、診断、及び核酸分析（例えば遺伝子分析）の実施等が挙げられる。従って、本発明で使用されるデバイスは多くの場合には多重サンプルの平行又は順次導入及び分析用多重サンプル導入口又はリザーバーを備える。このような多重サンプル導入リザーバーの例はその開示内容全体を参考資料として本明細書に組込む米国特許第５，９７６，３３６号に記載されている。あるいは、多重サ
ンプルを分析のためにデバイスに順次導入する多重サンプル導入口（例えばピペッター）にこれらのマイクロ流体デバイスを結合してもよい。このようなサンプル導入システムの例はその開示内容全体を参考資料として本明細書に組込む米国特許第６，０４６，０５６号及び５，８８０，０７１号に記載されている。
【００７４】
本発明は更に溶液中の分子の相互作用を試験するために分子分散の変化等のシグナル情報を発生及び逆重畳するのにマイクロ流体デバイス、システム及び検出分析システムを使用するアッセイ方法を提供する。例えば、１種以上の分子分析物が溶液中で相互作用している程度を定量的又は定性的に測定するために溶液中の結合及び未結合種の分散シグナルプロフィルの形状を観測、測定及び分析することができる。
【００７５】
本発明の方法及びアッセイを実施するための試薬は場合によりこれらのアッセイを使用者に利用し易くするためにキット形態で提供される。このようなキットは更に該当アッセイを実施するための説明書を添付してもよく、場合により、その中でアッセイを実施する流体容器（例えばキュベット、マルチウェルプレート、及びマイクロ流体デバイス）を付属してもよい。
【００７６】
一般に、キットに含まれる試薬としては（必要に応じて）ラベルと、マイクロ流体デバイスと、必要な任意緩衝液が挙げられる。試薬は使用者による測定用バイアル、又は予め計量されたバイアルもしくはアンプルに入れて提供することができ、適切な混合物が得られるように単純に組み合わせる。試薬は液体及び／又は凍結乾燥形態で提供することができ、場合により試薬の希釈及び／又は再水和用の適当な緩衝液を付属してもよい。一般に、全試薬と説明書を単一の箱又はパウチに同梱し、すぐに使用できるようにする。
【００７７】
本発明の１態様では、方法はマイクロスケール流体導管にサンプル材料のパルス（「スラグ」）を注入して流すことにより、サイドチャネルを通して導管に導入された試薬が分子間相互作用（例えば会合的又は解離的相互作用）を生じる。導管は試薬及びサンプル材料が導入される別個導管（例えばキャピラリー又はチューブ）でもよいし、１種以上の成分のサンプリング及び／又は混合物の各種成分の混合等の種々の段階が行われる統合マイクロスケールチャネルネットワーク又はマイクロ流体デバイスのチャネルでもよい。
【００７８】
本発明の１態様では、第１の分子と第２の分子が流体連通するように第１の分子を連続流体流としてマイクロ流体導管に導入し、第２の分子を流体ボーラスとしてマイクロ流体導管に導入することができる。
【００７９】
マイクロ流体導管で圧力駆動流下のサンプルスラグは分散率が分子拡散率に反比例するＴａｙｌｏｒ−Ａｒｉｓ分散により拡散する。マイクロ流体チャネルネットワークで流体運動を厳密に制御するためにはコンピューター制御圧を使用することができる。適切な圧力制御システムはその開示内容全体を参考資料として本明細書に組込む米国特許出願公開第ＵＳ２００１／００５２４６０号に記載されている。本発明により得られる利点は主に圧力駆動流で生じるＴａｙｌｏｒ−Ａｒｉｓ分散に起因するが、Ｔａｙｌｏｒ−Ａｒｉｓレジームを不当に妨げない限り、動電力又は電気浸透力も付加的に使用することができる。
【００８０】
１態様では、本発明はシングルチャネルマイクロ流体分子結合アッセイに関する。本発明のこの態様で使用するのに適したシングルチャネル構成のマイクロ流体デバイスの１例を図３Ａに示す。図３Ａはチャネル２０４及び２０６を形成する溝がエッチングされた平面基板からなるマイクロ流体デバイスを示す。平面基板は透明カバープレートで覆われている。カバープレートはリザーバー２０８及び２１２を夫々形成する２個のアパーチャーを備える。マイクロ流体デバイス２００は更に平面基板から下方に突出し、交点２０５で
チャネル２０６と交差するピペッターエレメント又はサンプリングエレメント（例えばキャピラリーガラスチューブ（「シッパー」）２０２）を備える。この特定デザインでは、小分子を含む溶液はシッパー２０２に吸引された後にメインチャネル２０６に流入し、蛋白質溶液等の大分子を含む溶液はリザーバー２０８からサイドチャネル２０４を通って定常的にメインチャネル２０６に流入する。「シングルチャネル」とは分子の分散が測定される場である単一メインチャネル２０６を意味する。
【００８１】
上述のように、種々の検出方法を使用して１種以上の分子の濃度を検出することができる。図３Ａの態様では、メインチャネルに流入する分子から定常レベルの吸収（又は検出方法に応じて蛍光、又は他のパラメーター）を検出領域２１０で観測することができる。小分子のスラグがシッパー２０２を通って吸引されると、サンプルスラグはサイドチャネル２０４を通って流入する大分子（蛋白質）流と接触し、十分に混合される。
【００８２】
１態様では、第２の分子の不在下にマイクロ流体導管内を流れる第１の分子の分散と分子の分散を比較する。代法又は付加法として、第１の分子の不在下にマイクロ流体導管内を流れる第２の分子の分散と分子の分散を比較する。
【００８３】
例えば、図３Ａに関して上述した小分子が蛋白質と結合する場合には、結合した小分子は結合の不在下の小分子に比較して流体流中でよく分散する。他方、小分子と大きい蛋白質分子の間に親和性がない場合には、小分子の濃度プロフィル（及び分散）は変化しない。従って、検出される濃度ピーク形状（幅又は高さ）に基づいて結合イベントを検出、観測、測定及び分析することができる。検出領域２１０を通過後、流体混合物は廃棄物リザーバー２１２に廃棄される。
【００８４】
図３Ａのデバイスに対応する所定態様では、シッパー２０２は一連の試験化合物を逐次サンプリングし、試験化合物がリザーバー２０８からメインチャネル２０６に導入される蛋白質と結合するか否かを試験する。図３Ａの態様の１変形例では、蛋白質と試験化合物をマイクロ流体デバイスの外部で混合し、得られた混合物をシッパー２０２によりマイクロ流体デバイスに導入する。この変形例では蛋白質溶液をリザーバー２０８から導入する必要がないので、リザーバー２０８とチャネル２０４を省略することによりマイクロ流体デバイス２００のデザインを簡略化することができる。簡略化デバイスを流れる流体流は廃棄物リザーバー２１２に連結した真空源等の単一圧力源により制御することができる。
【００８５】
図３Ｂはマルチポート制御型のシングルチャネルを使用するマイクロ流体デバイスの代替態様を示す。チップデザイン２５０はシッパー２５２と、サイドチャネル２５４及び２５６と、メインチャネル２５８を含む。このデザインでは、小分子を含む溶液はシッパー２５２に吸引された後にメインチャネル２５８に流入し、蛋白質溶液等の大分子は蛋白質リザーバー２６０からサイドチャネル２５４を通って定常的にメインチャネル２５８に流入し、定量用検出領域２６２を経て廃棄物リザーバー２６４に至る。得られる濃度プロフィルを測定する。次に、蛋白質リザーバー２６０からの流れを遮断し、小分子を含む溶液をメインチャネル２５８に吸引すると共に、リザーバー２６６からサイドチャネル２５６を通って緩衝液をメインチャネル２５８に流入させ、検出領域２６２を経て廃棄物リザーバー２６４に送る。
【００８６】
蛋白質と緩衝液に混合する小分子の濃度プロフィルを比較する。小分子と蛋白質の間に相互作用（例えば小分子と蛋白質の結合）がある場合には、濃度プロフィルは小分子／緩衝液流に比較して低く、広いピークをもつ。他方、ピーク振幅と幅が２つの流れで等価の場合には、結合イベントは生じていない。
【００８７】
図３Ａ及び３Ｂはシングルチャネルを使用するマイクロ流体デバイスの本発明の範囲内
の態様を示すものに過ぎず、本発明の所期範囲を限定するものではない。当業者に自明の通り、本発明に従って多数の潜在的チップデザインが実施可能である。
【００８８】
別の態様では、本発明はデュアルチャネルデザインのマイクロ流体デバイスを備えるマイクロ流体システムに関する。本デバイスは相互に交差する第１のチャネルと第２のチャネルを内部に形成した本体構造を含むことができる。システムは更にサンプルを第１のチャネルと第２のチャネルに導入する流体サンプル入口を備える。システムは更に第１のチャネル及び第２のチャネルと流体連通する流体リザーバーを備えることができ、流体をリザーバーからチャネルに導入することができる。更に、システムは第１のチャネルと第２のチャネルに検出ゾーンを備えることができる。検出ゾーンは流体サンプル入口及び流体リザーバーと流体連通するチャネルの入口の下流に配置することができる。システムは更に第１及び第２の検出ゾーンを流れる流体中の少なくとも１種の分子の相対分散率の測定手段を備えることができる。
【００８９】
図４はこのようなシステムの１例とその使用法を示す。小分子を含む溶液のスラグはシッパー３０２に吸引され、スラグは参照チャネル３０４と試験チャネル３０６の２個のチャネルに分割される。分割後には、２個の流体学的に等価の回路が存在する。スラグの半分は試験チャネル３０６で蛋白質リザーバー３１２からの蛋白質溶液と混合され、定量のために検出領域３０８に送られる。スラグの残りの半分は参照チャネル３０４で緩衝液リザーバー３１４からの緩衝液と混合され、検出領域３１０に送られる。蛋白質と緩衝液は夫々サイドチャネル３１６及び３１８を通して導入される。検出領域３０８及び３１０を通過後にチャネルはいずれも廃棄物リザーバー３２０に至る。図４の態様では、チャネル３０４及び３０６はいずれも廃棄物リザーバー３２０と直接流体連通している。代替態様では、２本のチャネルは合流し、シングルチャネルとなって廃棄物リザーバー３２０に至る。
【００９０】
図３Ａ及び３Ｂについて上述したように、小分子の濃度プロフィルのピーク振幅及び幅が２つの流れで等価である場合には、結合イベントは生じていないと判断することができる。他方、蛋白質と相互作用する流れの小分子濃度プロフィルが有意に広がっている場合には、結合イベントが生じていると判断することができる。
【００９１】
更に、本発明の態様では、１種以上の付加分子をマイクロ流体導管に導入することができ、導管内を流れる分子の分散を測定することができる。具体的には、本発明は結合する可能性のある種々の分析物を使用する競合的結合アッセイを包含する。このようなアッセイでは、各競合分子が別の（一般には大きい）分子と結合する程度を測定するために分散の測定を使用する。
【００９２】
図５は競合的結合アッセイの１例を示す。流体ネットワークを満たして主導管４０６内を定常速度で流れるように緩衝液を容器４１８からシッパー４０２によりシッピングする。リザーバー４０８からの蛋白質溶液もサイドチャネル４０４を通して導管４０６に定常速度で導入する。蛋白質溶液と緩衝液は主導管４０６を流れ、検出領域４１０を経て廃棄物リザーバー４１２に至る。圧力制御を使用して蛍光標識リガンドの分画スラグをリザーバー４１４からサイドチャネル４１６を通して主導管４０６に導入する。主導管に導入されたリガンドの濃度を検出領域４１０で測定し、リガンドの濃度プロフィルを測定する。
【００９３】
次に、シッパー４０２は第２の容器４２０から溶液をサンプリングする。第２の容器４２０内の溶液は小分子（試験化合物）を含んでいる。この溶液はシッパー４０２により定常速度で容器４２０から導入され、主導管４０６を流れ、蛋白質溶液はリザーバー４０８からサイドチャネル４０４を通って流入する。蛋白質溶液と小分子溶液の流れに伴い、蛍光標識リガンドの分画スラグがリザーバー４１４からサイドチャネル４１６を通って主導
管４０６に圧力制御下にパルスされる。主導管内を流れる標識リガンドの濃度は検出領域４１０で測定され、リガンドの濃度プロフィルが測定される。
【００９４】
試験化合物が蛋白質とリガンドの相互作用に影響する場合には、検出されるリガンドにより発生されるシグナルに変化が現われる。例えば、試験化合物がリガンドと蛋白質の相互作用を阻害する場合、例えばリガンドと蛋白質の結合を阻害する場合には、未結合リガンドは小分子として挙動し続け、圧力駆動速度プロフィルの各種部分を迅速にサンプリングし、その結果、分散が低下し、その濃度プロフィルのピークが急になる（蛍光シグナルにより測定した場合）。他方、試験分子がリガンドと蛋白質の相互作用を増加する場合、例えばリガンドと蛋白質の結合を増加する場合には、結合したリガンドは導管内をよりゆっくりと拡散し、その結果、分散が増加し、その濃度プロフィルは広く、小さくなる。試験分子がリガンドと蛋白質の相互作用に影響しない場合には、検出されるリガンドの濃度プロフィルは試験分子の不在下から変化しない。第２の容器４２０からサンプルを獲得した後に、シッパー４０２は他の容器からサンプルを獲得することができる。所定態様では、容器はマルチウェルプレートのウェルである。
【００９５】
以上、複数の分子を別々に導入する本発明の態様について記載した。しかし、複数の分子の導入順序又は方法は特に限定しないことに留意すべきである。例えば、複数の分子を同時に導入することができる。具体的には、複数の分子を予め混合し、流体ボーラスとして導入することができる。例えば、図５の競合的アッセイの１変形例では、蛋白質、リガンド、及び種々の試験化合物を含む溶液をマイクロ流体デバイスの外部で調製することができる。その後、シッパー（例えば図５の態様ではシッパー４０２）によりこれらの溶液のスラグをマイクロ流体デバイスに順次導入することができる。図５の態様と全く同様に、検出領域４１０の通過時にリガンドの濃度を測定することにより各スラグにおける標識リガンドの濃度プロフィルを測定する。上述したように、試験化合物の存在下に生じた濃度プロフィルの形状を試験化合物の不在下に生じた濃度プロフィルと比較し、試験化合物かリガンドと蛋白質の相互作用に影響するか否かを判定する。
【００９６】
当業者に自明の通り、Ｔａｙｌｏｒ−Ａｒｉｓ分散現象と複数の参照、試験、シッパー及び他の導管と検出器を使用する付加態様も明らかに本発明の範囲に含まれる。本発明は分子間相互作用を測定するために導管内でＴａｙｌｏｒ−Ａｒｉｓ現象を使用する任意方法を包含するものである。
【００９７】
（実施例）
以下、実施例により本発明を更に例証する。但し、当然のことながら、これらの実施例は例証のみを目的とし、本発明の範囲を定義するものではない。
【実施例１】
【００９８】
蛋白質結合アッセイ
マイクロ流体デバイスデザイン及び計器：
使用するマイクロ流体デバイスデザインはＳＰ２９９Ａシングルシッパーチップ（Ｃａｌｉｐｅｒ  Ｔｅｃｈｎｏｌｏｇｉｅｓ  Ｃｏｒｐ．，Ｍｏｕｎｔａｉｎ  Ｖｉｅｗ，Ｃａｌｉｆｏｒｎｉａ）とした。ＳＰ２９９Ａデバイスのマイクロ流体回路は図６に示す通りであり、メインチャネル５０２と２個のサイドチャネル５０４及び５０６に流体連通するシッピングキャピラリー（「シッパー」）（図示せず）から構成される。シッパーは点５１２でチップに物理的に結合されている。
【００９９】
本実験に使用する計器はＣａｌｉｐｅｒ  １００シングルシッパーシステム（Ｃａｌｉｐｅｒ  Ｔｅｃｈｎｏｌｏｇｉｅｓ  Ｃｏｒｐ．，Ｍｏｕｎｔａｉｎ  Ｖｉｅｗ，Ｃａｌｉｆｏｒｎｉａ）（図示せず）とした。この計器にｘ−ｙ−ｚロボットを装着し、このロ
ボットを使用してマイクロタイタープレートに保存された試薬をサンプリングするためにシッパーをマイクロタイタープレートに接近させた。
【０１００】
更に、蛍光光学素子（即ち光源、光ダイオード、検出／集光レンズ、フィルター等）を使用してデバイスのメインチャネルでサンプルを検出した。この実験セットでは、励起／発光フィルターセットを４８５ｎｍ／５３５ｎｍとした。Ｃａｌｉｐｅｒ  １００システムの付加ハードウェアとして、デバイスのウェル５１０に駆動真空を印加するためのシリンジポンプを装着した。計器を制御し、計器に接続したコンピューターによりデータを収集分析した。
【０１０１】
ウェル５１０に定常真空を印加しながらデバイスを運転した。メインチャネル５０２に送られる流れの７０％がシッパーに由来し、１５％がサイドチャネル５０４及び５０６の各々に由来するように流体導管の流体力学的抵抗を設計した。
【０１０２】
サンプルをマイクロタイタープレートに配置してシッパーによりデバイスに導入し、デバイスに存在する試薬を２個のサイドチャネル５０４及び５０６からメインチャネル５０２に送り、これらのサンプルと反応させた。サイドチャネルは標準ピペッターを使用して約４０μｌの最大容量まで流体を分配した試薬ウェルと流体連通させた。
【０１０３】
ウェル５１０の印加駆動圧を−１ｐｓｉとしたときの流速はシッパーで０．５６ｎｌ／ｓ、サイドチャネルの各々から０．１１ｎｌ／ｓとし、メインチャネルでの総流速が０．７８ｎｌ／ｓとなるようにした。シッパーの遠端からメインチャネル５０２との交点５１２までの通過時間は約１１．３秒とし、交点５１２から検出領域５１４までの通過時間は約３３．７秒とし、シッパーから検出領域５１４までの総通過時間が約４５秒となるようにした。
【０１０４】
試薬：
実験では以下の試薬を使用した：アッセイ緩衝液（５０ｍＭ  ＨＥＰＥＳ，ｐＨ７．５）；ストレプトアビジンと結合後の蛍光消光を防ぐためにＴ１０リンカーを付けた分子量３１００ｇ／ｍｏｌの標識ビオチン（チミジン残基１０個のリンカーによりビオチンにフルオレセインを結合）をＯｌｉｇｏｓ  Ｅｔｃ．，Ｉｎｃ．から注文合成；及び分子量約６０，０００ｇ／ｍｏｌのストレプトアビジン（Ｓｉｇｍａ，製品番号Ｓ４７６２）。
【０１０５】
未結合参照シグナルの獲得：
バックグラウンド又は基線蛍光条件を確認するために、サイドチャネル５０４及び５０６への緩衝液注入を使用して第１の試験を実施した。これらの第１組の実験では、５０ｍＭ  ＨＥＰＥＳをウェル５０８及び５１６にロードし、５０ｍＭ  ＨＥＰＥＳ（緩衝液）とマイクロタイタープレート（図示せず）のウェルからの５μＭ  Ｂｉ−Ｔ１０−Ｆｌ（サンプル）を交互にシッピングした。サンプル注入のパルス系列をシッパーによりデバイスに送る前に、時間に対する蛍光シグナルをｙ軸上に示す図７に示すように、定常シグナルに達するまでＢｉ−Ｔ１０−Ｆｌサンプルを連続的にシッピングすることにより、蛍光参照レベルを設定した。蛍光参照レベルを使用して注入データを標準化した。
【０１０６】
次に、ウェル滞留時間を夫々２０秒及び０．５秒とする一連の緩衝液−サンプルシップサイクルを実施するように計器をプログラミングした。測定した蛍光レベルを図８に示す。サンプル注入は注入したサンプルの分散により参照レベルと同一蛍光レベルに達せず、その結果、検出領域５１４で観測される濃度が低下した（それに伴い、注入時間に対してピークが広がった）。図８の未処理注入データを図７に示す参照に対して標準化した結果を図９に示す（ビオチン−Ｆｌ／緩衝液，大きいピーク）。データは以下の関係式：標準化シグナル＝（未処理シグナル）／（参照最大値−参照最小値）を使用して参照に対して
標準化した。
【０１０７】
ストレプトアビジンの注入による結合アッセイ：
図６に戻り、ＨＥＰＥＳ緩衝液に代えてアッセイ緩衝液中１０μＭストレプトアビジンをウェル５０８及び５１６に加え、ストレプトアビジンで試験を実施した。流れ条件は緩衝液／サンプルシップ交互サイクルについて上述した条件と同一とした。
【０１０８】
サイドチャネル５０４及び５０６からの総流速はメインチャネル５０２における総流速の３０％であったので、メインチャネルにおけるストレプトアビジン濃度は３μＭ（１０μＭ×０．３０）であった。各ストレプトアビジンは１分子当たり４個の結合部位をもつので、結合部位濃度は１２μＭ（４×３μＭ）であった。メインチャネルまでの総流速の７０％がシッパーに由来するので、サイドチャネルの下流のメインチャネルにおけるＢｉ−Ｔ１０−Ｆｌの濃度は３．５μＭ（０．７×５μＭ）であった。従って、本実験では結合分子に対して結合部位が約３．４倍（１２／３．５）の過剰であり、全ビオチンがサイドチャネル５０４及び５０６のすぐ下流に結合していることが確認された。参照及び注入データ（図示せず）は上述のように獲得した。
【０１０９】
Ｂｉ−Ｔ１０−Ｆｌ／ストレプトアビジン結合アッセイの標準化結果を図９に示し、サイドチャネル５０４及び５０６に緩衝液を注入した実験結果と共にプロットした。図９の挿入図は１回の注入の拡大図を示す。
【０１１０】
図９に示すように、ストレプトアビジンと相互作用する注入したＢｉ−Ｔ１０−ＦｌのピークシグナルはＢｉ−Ｔ１０−Ｆｌ／緩衝液アッセイに比較して小さく、広いことから、結合したビオチン種は未結合種に比較して高い分散を示したことが分かる。結合／未結合種の標準化ピーク最大値は夫々０．６１／０．４６であった。データはストレプトアビジンがサイドチャネルに存在する場合にビオチンの分散が増加することを示しており、従って、結合分子と未結合分子の分散レベルの分析により複数の分子間の相互作用（ここではビオチンとストレプトアビジンの結合）の測定を実施できることが裏付けられた。
【０１１１】
モデル結果：
拡散と分散の数理解析をマイクロチャネルに適用することは周知である。以下の仮定：
（１）Ｂｉ−Ｔ１０−Ｆｌ拡散係数：２３６μｍ２／ｓ（分子量に基づいて計算）；
（２）ストレプトアビジン（又は結合複合体）拡散係数：８１μｍ２／ｓ（分子量に基づいて計算）；及び
（３）実験の流速と注入時間に基づく初期サンプル注入スラグサイズ
の下に実験結果を数理モデルに比較した。
【０１１２】
方形パルス形状の流体スラグの分散を表す数式は下式：
【数１】
2005535881.tif 000002
により与えられ、式中、Ｃ（ｘ，ｔ）は時間ｔで点ｘにおける濃度であり、ｈは濃度スラグの初期長であり、Ｋｅｆｆは分子拡散率、マイクロチャネル形状、及び直線流体速度の関数である有効分散係数である。
【０１１３】
上記式の誘導の詳細については、参考資料として本明細書に組込む上記に挙げた論文に
おけるＳｉｒ  Ｇｅｏｆｆｒｅｙ  ＴａｙｌｏｒとＲ．Ａｒｉｓの報告を参照されたい。モデルは未結合種と結合種の両者についてサイドチャネルの下流で生じる分散に加え、サイドチャネルの前のキャピラリーで生じる分散も考慮することができる。
【０１１４】
結合種と未結合種の分散モデル結果を図１０に示す。時間軸は経過時間と解釈すべきであり、ピークの中心はｔ＝０である。図１０から明らかなように、結合ピークは小さく、広いことから、分散性が高いことが分かる。モデル結果は図９に示す実験データに定量的に一致する。
【実施例２】
【０１１５】
オフチップ競合的結合アッセイ
本実施例は結合分子と未結合分子のＴａｙｌｏｒ−Ａｒｉｓ分散の差に基づくオフチップ競合的結合アッセイの実施方法を要約する。
【０１１６】
このようなアッセイを実施するためには、図１１に示すようなチップデザインを使用することができる。チップ６００はシッパー６０２、２個のサイドチャネル６０６及び６１０、メインチャネル６１２、リザーバー６０４及び６０８、検出領域６１４、並びに廃棄物リザーバー６１６を備える。チップの外部にはマイクロタイタープレートウェル６１８が配置されている。
【０１１７】
図１１に示すように、蛋白質とリガンドはいずれも夫々リザーバー６０４及び６０８とサイドチャネル６０６及び６１０からメインチャネル６１２に連続的に移送され、蛋白質との競合的結合のアッセイ対象である小分子は緩衝液スペーサーにより分離されたスラグとしてマイクロタイタープレートウェル６１８からシッパー６０２を通って吸引される。リガンドは該当蛋白質と結合することが分かっており、蛍光標識される。
【０１１８】
リガンドはチップで唯一の蛍光種であるので、検出領域６１４で観測されるシグナルは実験工程中にリガンド種（又はリガンドを含む任意複合体）から発生する蛍光シグナルを試験することにより測定することができる。他の全種、即ち小分子、蛋白質、又は小分子と蛋白質の複合体は蛍光シグナルを発生しない。
【０１１９】
リガンドサイドチャネルにより供給される流れフラクションは時間と共に変化しないので、定常レベルの蛍光が検出領域で観測されると予想される。しかし、分散の差によりチャネル内のリガンド量が再配分され、蛋白質とリガンドの結合度の変化を表すデータシグネチャーが得られる。
【０１２０】
図１２はリガンドと蛋白質の結合を妨げる分子のスラグを注入した結果として、サイドチャネル６０６，６１０がチャネル６１２と交差する点のすぐ下流のチャネル６１２の１領域におけるリガンド（Ｌ）及び蛋白質−リガンド複合体（Ｐ−Ｌ）の分布を示す。チャネル６１２を流れる流体の前縁部７０６はシッパーが緩衝液スペーサーを導入した流体の一部に相当する。部分７０６にはリガンドと蛋白質の結合を妨げるものは何もないので、部分７０６は蛋白質とリガンドの複合体を含む。他方、部分７０４では、シッパーは蛋白質上の結合部位をリガンドと競合する分子のスラグを導入している。図１２の実施態様では、蛋白質はリガンド以外の導入分子とほぼ完全に結合する。部分７０４ではリガンドは蛋白質と結合しないので、部分７０４のリガンドは未結合である。後縁部７０２はシッパーが緩衝液スペーサーを導入した流れの第２の部分に相当する。部分７０６の場合と同様に、部分７０２におけるリガンドは蛋白質−リガンド複合体を構成する。
【０１２１】
蛋白質−リガンド複合体の量子効率がリガンドと等価であると仮定すると、リガンド分子（結合又は未結合）の総数は一定に維持されるので、シグナル変化は観測できないよう
に思われる。しかし、未結合リガンドを含む溶液と蛋白質−リガンド複合体を含む溶液の界面には２種の拡散率の差によりＴａｙｌｏｒ−Ａｒｉｓ分散に差が生じるので、これは事実ではない。未結合リガンドはサイズが小さいので拡散率が高い。従って、大きい蛋白質−リガンド複合体のほうが迅速に分散する。
【０１２２】
予測データシグネチャーを検討するために数理モデルを使用することができる。初期条件は図１２に示した模式図と同様であり、小分子（未結合リガンド）のスラグが大きい分子（蛋白質−リガンド複合体）を含む領域に挟まれている。
【０１２３】
図１３は小分子と隣接する大分子の濃度を短時間（即ちサイドチャネルの直ぐ下流）のチャネル軸方向位置の関数として示す。換言するならば、図１３の濃度プロフィルは図１２に示す状況に対応する。実線は未結合リガンドの濃度プロフィルを表し、点線は蛋白質−リガンド複合体に存在するリガンドの濃度を表す。図１３では、結合リガンドと未結合リガンドの濃度の和である総リガンド濃度はチャネルの全点で同一である。この一定濃度を１濃度単位の任意値に設定した。本実験では蛋白質−リガンド複合体における結合リガンドの量子効率は未結合リガンドと等価であるので、図１３に示すチャネルの部分から発生する蛍光シグナルは一定である。
【０１２４】
図１４は図１３に示した点の下流のチャネルの点まで流れた後の流体の同一部分の濃度プロフィルを示す。図１４の計算濃度プロフィルは小分子が大分子の１０倍の速度で拡散するという仮定に基づく。結合及び未結合蛍光標識リガンドから発生する蛍光は同一であるので、検出領域における総蛍光シグナルは両者の和である。
【０１２５】
図１４から発生する総蛍光を図１５に示す。図１５では、曲線７００は検出領域で観測可能なシグナルであり、リガンド（曲線７０２）とリガンド−蛋白質複合体（曲線７０４）からのシグナルの和である。シグナルが初期値１からずれているのは分散の差による。本態様では、データシグネチャーは谷、ピーク、谷の順である。一般に、ピークは分散速度の遅い種に由来するので谷よりも大きい。（谷から山ピークまでの）データシグネチャーの大きさは結合度に比例するはずなので、定量に使用することができる。
【０１２６】
当然のことながら、本明細書の教示は種々の化学的相互作用を流れシステムの各種位置で測定する任意用途に拡大できる。
【０１２７】
当業者に自明の通り、本明細書に開示する発明は多数の方法で変更することができ、上記に具体的に記載した好適形態以外の態様も可能である。従って、特許請求の範囲は本発明の真の精神と範囲に該当する本発明の全変形を含むものとする。
【０１２８】
以上、明確に理解できるように本発明を多少詳細に記載したが、本発明の真の範囲を逸脱することなく形態や細部に種々の変更が可能であることは以上の開示から当業者に自明である。例えば、上記全技術及び装置は種々に組合せて使用することができる。本明細書に引用した全刊行物、特許、特許出願、及び／又は他の文献はその開示内容全体を全目的で参考資料として組込み、各刊行物、特許、特許出願、及び／又は他の文献を全目的で参考資料として組込むと個々に記載しているものとして扱う。
【図面の簡単な説明】
【０１２９】
【図１】大分子と小分子のチャネル軸方向位置に対する予想濃度プロフィルを示す。
【図２】本発明を実施するための流体導管システムの模式図を示す。
【図３Ａ】ピペッターエレメント、サイドチャネル、及びメインチャネルを備えるシングルチャネルアッセイ用マイクロ流体デバイスの模式図を示す。
【図３Ｂ】ピペッターエレメント、サイドチャネル、及びメインチャネルを備える自己参照シングルチャネルアッセイ用代替マイクロ流体デバイスの模式図を示す。
【図４】自己参照デュアルチャネルアッセイ用マイクロ流体デバイスの模式図を示す。
【図５】競合的結合実験で使用するシングルチャネルアッセイ用マイクロ流体デバイスの模式図を示す。
【図６】実施例１に従って使用したシングルチャネルアッセイ用マイクロ流体デバイスの模式図を示す。
【図７】実施例１に従い、標識ビオチンからの参照蛍光レベルを示す。
【図８】実施例１に従い、標識ビオチンの反復注入から得られた蛍光シグナルを示す。
【図９】実施例１に従い、標識ビオチンと緩衝液及びストレプトアビジンの注入による結合アッセイ実験の標準化実験蛍光シグナル結果を示す。挿入図は１回の注入の結果を示す。
【図１０】実施例１に従い、ビオチン及びストレプトアビジンとの結合アッセイの分散モデル結果を示す。
【図１１】実施例２に従って使用するためのマイクロ流体デバイスの模式図を示す。
【図１２】実施例２に従い、蛋白質、リガンド、及びサンプル分子の予想分布図を示す。
【図１３】実施例２に従い、軸方向位置の関数として小分子と大分子の濃度を示す。
【図１４】実施例２に従い、軸方向位置の関数として小分子と大分子の濃度を示す別の図である。
【図１５】実施例２に従い、軸方向位置の関数として小分子と大分子の濃度を示す別の図である。
【図１】
2005535881.tif 000003
【図２】
2005535881.tif 000004
【図３Ａ】
2005535881.tif 000005
【図３Ｂ】
2005535881.tif 000006
【図４】
2005535881.tif 000007
【図５】
2005535881.tif 000008
【図６】
2005535881.tif 000009
【図７】
2005535881.tif 000010
【図８】
2005535881.tif 000011
【図９】
2005535881.tif 000012
【図１０】
2005535881.tif 000013
【図１１】
2005535881.tif 000014
【図１２】
2005535881.tif 000015
【図１３】
2005535881.tif 000016
【図１４】
2005535881.tif 000017
【図１５】
2005535881.tif 000018
【国際調査報告】
2005535881.tif 000019
2005535881.tif 000020